(57)【特許請求の範囲】
【請求項１】
スタンド本体（２０）と、印判を起立保持する印判ホルダー（２１）と、印判ホルダー（２１）の下面側に配置されて、印判の印字部（３）にインクを供給するインクパッド（２２）とを備え、印判を押下げ操作するのに連動して、インクパッド（２２）を退避揺動させて押印を行う印判スタンドであって、
印判ホルダー（２１）は上下が開口する枠体で構成されていて、その内部に印判を収容する印判保持部（２３）を備えており、
印判ホルダー（２１）は、スタンド本体（２０）で昇降スライド自在に案内支持され、かつ、復帰ばね（４３）で上方の待機位置へ向かって復帰付勢されており、
インクパッド（２２）は、インクを含浸するパッド体（５１）と、パッド体（５１）を支持するパッドホルダー（５２）とを含んで構成されており、
インクパッド（２２）は、スタンド本体（２０）で揺動軸（５７）を介して揺動可能に支持されて、パッド体（５１）が印判の印字部（３）に密着する補給姿勢と、全体が印判ホルダー（２１）の昇降軌跡の外へ退避する退避姿勢との間を揺動でき、
印判ホルダー（２１）とインクパッド（２２）との間に、印判ホルダー（２１）の昇降動作をインクパッド（２２）の揺動動作に変換して、インクパッド（２２）を補給姿勢と退避姿勢とに切換えるカム構造が設けられており、
印判保持部（２３）には、該印判保持部（２３）に差し込まれた印判の外面の下段部を受止める位置決め座（２８）と、位置決め座（２８）で受止められた印判の外面の上段部と係合して印判をロック保持するロック爪（３１）とが設けられており、
前記ロック爪（３１）に隣接するスタンド本体（２０）の壁面に、前記ロック爪（３１）をロック解除操作するロック解除体（７１）が設けられていることを特徴とする印判スタンド。
【請求項２】
スタンド本体（２０）の対向する内周面に、圧縮コイル形の復帰ばね（４３）を収容する一対のボス（４４・４４）と、各ボス（４４）の長手方向に沿って形成されて、印判ホルダー（２１）を昇降スライド自在に案内支持するガイド溝（４５）とが、上向きに開口する状態で設けられており、
印判ホルダー（２１）の対向周面に、前記復帰ばね（４３）の端部を受止め、かつ前記ガイド溝（４５）でスライド案内される一対のスライドピース（３３・３３）が設けられており、
スタンド本体（２０）には、昇降スライドする印判ホルダー（２１）の上方のスライド限界を規制する規制体（８５）が形成されており、
印判ホルダー（２１）をスタンド本体（２０）に昇降スライド自在に組付けた状態において、規制体（８５）で印判ホルダー（２１）を受止めて、印判ホルダー（２１）がスタンド本体（２０）に対して分離不能に組付けられている請求項１に記載の印判スタンド。
【請求項３】
印判が、外フレーム（２）と、外フレーム（２）の外面に露出する複数の日付調整ダイヤル（６）を備えた日付印で構成されており、
日付調整ダイヤル（６）の露出縁と対向する、スタンド本体（２０）の周囲壁に、インクパッド（２２）の出入りを許すパッド窓（６１）が開口されており、
パッド窓（６１）の上隅部に、パッドホルダー（５２）と一体に設けた揺動軸（５７）を軸支する軸受壁（６２）が、スタンド本体（２０）の周囲壁の外面へ向かって開口する状態で横臥Ｕ字状に形成されており、
パッドホルダー（５２）の揺動軸（５７）を軸受壁（６２）に対して、スタンド本体（２０）の周囲壁の外面の側から差し込み係合することにより、インクパッド（２２）がスタンド本体（２０）に組み付けられている請求項１または２に記載の印判スタンド。
【請求項４】
カム構造が、パッドホルダー（５２）に設けた受動ピン（６４）と、印判ホルダー（２１）に設けられて前記受動ピン（６４）を操作する第１カム（６５）と、第１カム（６５）に連続して上向きに延びる保持カム（６６）と、第１カム（６５）の下方に設けられる第２カム（６７）とで構成されており、
第１カム（６５）で受動ピン（６４）を揺動軸（５７）の回りに押下げ操作することにより、インクパッド（２２）を補給姿勢から退避姿勢に揺動変位でき、
退避姿勢に揺動変位した状態の受動ピン（６４）を保持カム（６６）で支持して、インクパッド（２２）を退避姿勢に保持し続けることができ、
自重で補給前段姿勢に復帰したインクパッド（２２）の受動ピン（６４）を、第２カム（６７）で揺動軸（５７）の回りに押上げ操作することにより、インクパッド（２２）を補給姿勢に保持できる請求項１から３のいずれかひとつに記載の印判スタンド。
【請求項５】
印字部（３）が、外フレーム（２）で上下スライド可能に支持される印面枠（１０）と、印面枠（１０）の下面に固定されるゴム印字体（１１）とを含んで構成されており、
印面枠（１０）の下面の隅部（１２ａ）が、位置決め座（２８）で受止められる下段部を構成しており、印面枠（１０）の上端の上縁部（１３ａ）が、ロック爪（３１）と係合する上段部を構成している請求項１から４のいずれかひとつに記載の印判スタンド。
【請求項６】
ロック爪（３１）は、弾性変形可能な弾性腕（３０）を含んで構成されており、
ロック爪（３１）とロック解除体（７１）との隣接部分に、ロック解除体（７１）の解除操作力をロック爪（３１）に伝える操作面（７２）と受動面（７３）とが設けられており、
操作面（７２）および受動面（７３）は、ロック解除体（７１）の解除操作方向と交差する傾斜面で形成されており、
ロック解除体（７１）の解除操作力を、操作面（７２）および受動面（７３）でロック爪（３１）の係合を解除する向きの操作力に変換して、ロック爪（３１）と印面枠（１０）の上端の上縁部（１３ａ）との係合を解除する請求項１から５のいずれかひとつに記載の印判スタンド。
【請求項７】
パッド体（５１）が、インク含浸マット（５１ａ）と、同マット（５１ａ）を収容するマット収容体（５１ｂ）とを備えており、
マット収容体（５１ｂ）がパッドホルダー（５２）に対して、両者の間に設けたパッド装着構造を介して着脱可能に装着されている請求項１から６のいずれかひとつに記載の印判スタンド。
【請求項８】
パッド装着構造が、パッドホルダー（５２）に形成された雌ねじ体（５９）と、マット収容体（５１ｂ）に形成された雄ねじ体（５８）との螺合構造で構成されている請求項７に記載の印判スタンド。
【請求項９】
パッドホルダー（５２）に、マット収容体（５１ｂ）を抱持する一対の抱持腕（５５・５５）が設けられて、両抱持腕（５５・５５）の内面に雌ねじ体（５９）が形成されており、
雄ねじ体（５８）を雌ねじ体（５９）にねじ込み装着した状態において、抱持腕（５５）が拡開状に弾性変形して、抱持腕（５５）の弾性復元力で雄ねじ体（５８）の緩みを規制している請求項８に記載の印判スタンド。
【発明の詳細な説明】
【技術分野】
【０００１】
本発明は、領収印や受付印などの日付印に代表される印判を支持する印判スタンドに関する。本発明に係る印判スタンドには、印判を保持するホルダーと、押印用のインクを吸蔵するインクパッドとが設けてあり、ホルダーに装着した印判を押下げ操作するのに連動して、インクパッドを退避揺動させて日付や番号などを押印できる。
【背景技術】
【０００２】
この種の印判スタンドは、例えば特許文献１および特許文献２に公知である。特許文献１に係る連続押捺装置は、下部に支持板を設けたケースと、回転印を抜き差し自在に保持する左右一対のホルダーと、一対のホルダーと支持板との間に配置されるスタンプを備えたスタンプ台などで構成されている。ホルダーの左右壁には上下一対のピンが固定されており、これらのピンをケースに設けたガイド溝で案内することにより、ホルダーがケースで上下動可能に支持されている。スタンプ台の左右にはく字状のアームが固定してあり、これらのアームをケースの側壁に設けたピンで軸支することにより、スタンプ台およびアームがピンの回りに揺動可能に支持されている。アームの上端部に設けた長穴と、同穴に係合するホルダーのピンとでカム機構が構成されており、ホルダーが上下動するのに連動してスタンプ台をカム機構で往復揺動操作できる。ホルダーおよびスタンプ台は、アームとケースとの間に設けたスプリングで、上昇位置に復帰付勢されている。回転印は下窄まり状に形成された保持枠を備え、該保持枠の下端部分を、一対のホルダーとホルダーの下端に形成した支持片で支持することにより、ホルダーに対して抜き差し自在に装着されている。回転印をホルダーに装着した状態において、ホルダーが上昇位置にあるときには、スタンプ台のスタンプが回転印の下部印面に当接しており、ホルダーの下降操作時には、カム機構でスタンプ台が回転印の上下動範囲の外側に離反するようになっている。押印後に操作力を解除することにより、スプリングの付勢力でアームが復帰操作されて、回転印およびホルダーは上昇位置に自動的に復帰し、スタンプが印面に当接して印面にインクが供給される。
【０００３】
特許文献２には、回転式パットを備えたデータゴム印が開示されている。係る特許文献２では、門形の案内枠と、案内枠で上下動自在に支持されるラック枠と、ラック枠に固定される日付繰出機構と、案内枠に固定したピンで回転自在に支持したスタンプパットなどでデータゴム印が構成されている。ラック枠とスタンプパットの間には、ラック枠の上下動に連動してスタンプパットを回動操作するラックとピニオンが設けられている。ラック枠と日付繰出機構とは、日付繰出機構が備えるネジ軸をラック枠に形成した穴に挿通した状態でナットで締付けることにより、一体化されている。前記ナットを案内枠に設けた縦長の案内溝で案内することにより、ラック枠と日付繰出機構は案内枠に対して上下スライドできる。ラック枠の上端に固定した軸は、柄に内蔵されたバネに連結されており、該バネによりラック枠と日付繰出機構が上方に引上げられている。ラックは、１枚の歯と歯に連続する直線部とで形成されており、ピニオンは、１.５枚分の歯で形成されている。押印操作時には、バネに抗して柄を下方に押下げることにより、ラック枠および日付繰出機構が下方へ移動し、ラックと噛合するピニオンが回転する。ピニオンの回転によって、スタンプパットがピンを中心に回転して側方に９０度回転し、以降は直線部でラック刃が支持され、スタンプパットはその姿勢が維持された状態で、ラック枠および日付繰出機構はさらに下方へ移動して、押印できるようになっている。押印後に操作力を解除することにより、ラック枠および日付繰出機構はバネにより上方へ引き上げられ、これに伴いスタンプパットは、ラックで回転操作されたピニオンとともに押印開始前の状態へと自動的に復帰し、スタンプパットが印面に当接して印面にインクが供給される。
【先行技術文献】
【特許文献】
【０００４】
【特許文献１】特開２０００−１３５８４６号公報（段落番号００１０〜００１５、図２）
【特許文献２】特開平０７−１８６５０３号公報（段落番号０００７〜００１４、００１７〜００２３、図１、図９）
【発明の概要】
【発明が解決しようとする課題】
【０００５】
特許文献１の連続押捺装置では、押印操作に連動してスタンプ台が回転印の上下動範囲の外側に離反し、押印後は、スプリングの付勢力により、回転印およびホルダーは上昇位置に自動的に復帰して、印面にインクを供給するので、別途インクの供給動作を行うことなく連続的に押印することができる。しかし、回転印は、ホルダーに対して上方から差し込んだ状態で保持されているだけで、ホルダーとは一体化されていない。そのため、ホルダーによる回転印の保持状態が不安定になりやすく、回転印の姿勢がぐらつきやすい。押印操作時に回転印の姿勢がぐらつくと、押印された印字に濃淡やかすれが生じ、印字品質が低下してしまう。また、ケースで囲まれたコ字状の空間の内部に、ホルダーとスタンプ台を収容し、さらにスタンプ台およびアームの揺動スペースを先の空間内に確保するので、ケースが大型化するのを避けられず、連続押捺装置を収納保管するのに大きなスペースが必要となる。
【０００６】
特許文献２のデータゴム印では、ラック枠と日付繰出機構とが、ネジ軸とナットで一体化されているので、押印操作時に日付繰出機構がぐらつくことはなく、印字品質が低下することはない。しかし、ラック枠と日付繰出機構とは、ネジ軸とナットで締結固定しているので、両者を容易に分離することができない。このため、日付の変更操作を行う場合には、まず、ラック枠および日付繰出機構を下方にスライドさせてスタンプパットを回転させ、この状態をバネの付勢力に抗して保持したまま日付の変更操作を行わなければならず、操作が煩雑であり、日付の変更操作に時間を要する。
【０００７】
本発明の目的は、印判ホルダーに装着した印判を、位置決めした状態でロック保持して、印判をぐら付きのない状態で起立保持でき、従来のこの種の印判スタンドに比べて、押印操作時の印字部による印字品質を向上できる印判スタンドを提供することにある。
本発明の目的は、印判を印判ホルダーから簡便に取り外して、日付の調整等を速やかに行える印判スタンドを提供することにある。
【課題を解決するための手段】
【０００８】
本発明に係る印判スタンドは、スタンド本体２０と、印判を起立保持する印判ホルダー２１と、印判ホルダー２１の下面側に配置されて、印判の印字部３にインクを供給するインクパッド２２とを備え、印判を押下げ操作するのに連動して、インクパッド２２を退避揺動させて押印を行う。印判ホルダー２１を上下が開口する枠体で構成し、その内部に印判を収容する印判保持部２３を備える。印判ホルダー２１は上下が開口する枠体で構成し、スタンド本体２０で昇降スライド自在に案内支持し、かつ、復帰ばね４３で上方の待機位置へ向かって復帰付勢する。インクパッド２２は、インクを含浸するパッド体５１と、パッド体５１を支持するパッドホルダー５２とを含んで構成する。インクパッド２２は、スタンド本体２０で揺動軸５７を介して揺動可能に支持して、パッド体５１を印判の印字部３に密着する補給姿勢と、全体が印判ホルダー２１の昇降軌跡の外へ退避する退避姿勢との間を揺動できるようにする。印判ホルダー２１とインクパッド２２との間に、印判ホルダー２１の昇降動作をインクパッド２２の揺動動作に変換して、インクパッド２２を補給姿勢と退避姿勢とに切換えるカム構造を設ける。印判保持部２３には、印判保持部２３に差し込まれた印判の外面の下段部を受止める位置決め座２８と、位置決め座２８で受止められた印判の外面の上段部と係合して印判をロック保持するロック爪３１とを設ける。そして、ロック爪３１に隣接するスタンド本体２０の壁面に、前記ロック爪３１をロック解除操作するロック解除体７１が設けられていることを特徴とする。
【０００９】
スタンド本体２０の対向する内周面に、圧縮コイル形の復帰ばね４３を収容する一対のボス４４・４４と、各ボス４４の長手方向に沿って形成されて、印判ホルダー２１を昇降スライド自在に案内支持するガイド溝４５とを、上向きに開口する状態で設ける。印判ホルダー２１の対向周面に、前記復帰ばね４３の端部を受止め、かつ前記ガイド溝４５でスライド案内される一対のスライドピース３３・３３を設ける。スタンド本体２０には、昇降スライドする印判ホルダー２１の上方のスライド限界を規制する規制体８５を形成する。印判ホルダー２１をスタンド本体２０に昇降スライド自在に組付けた状態において、規制体８５で印判ホルダー２１を受止めて、印判ホルダー２１をスタンド本体２０に対して分離不能に組付ける。
【００１０】
印判を、外フレーム２と、外フレーム２の外面に露出する複数の日付調整ダイヤル６を備えた日付印で構成する。日付調整ダイヤル６の露出縁と対向する、スタンド本体２０の周囲壁に、インクパッド２２の出入りを許すパッド窓６１を開口する。パッド窓６１の上隅部に、パッドホルダー５２と一体に設けた揺動軸５７を軸支する軸受壁６２を、スタンド本体２０の周囲壁の外面へ向かって開口する状態で横臥Ｕ字状に形成する。パッドホルダー５２の揺動軸５７を軸受壁６２に対して、スタンド本体２０の周囲壁の外面の側から差し込み係合することにより、インクパッド２２をスタンド本体２０に組み付ける形態を採ることができる。
【００１１】
カム構造を、パッドホルダー５２に設けた受動ピン６４と、印判ホルダー２１に設けられて前記受動ピン６４を操作する第１カム６５と、第１カム６５に連続して上向きに延びる保持カム６６と、第１カム６５の下方に設けられる第２カム６７とで構成する。第１カム６５で受動ピン６４を揺動軸５７の回りに押下げ操作することにより、インクパッド２２を補給姿勢から退避姿勢に揺動変位できる。退避姿勢に揺動変位した状態の受動ピン６４を保持カム６６で支持して、インクパッド２２を退避姿勢に保持し続けることができる。自重で補給前段姿勢に復帰したインクパッド２２の受動ピン６４を、第２カム６７で揺動軸５７の回りに押上げ操作することにより、インクパッド２２を補給姿勢に保持できる。
【００１２】
印字部３は、外フレーム２で上下スライド可能に支持される印面枠１０と、印面枠１０の下面に固定されるゴム印字体１１とを含んで構成する。印面枠１０の下面の隅部１２ａが、位置決め座２８で受止められる下段部を構成し、印面枠１０の上端の上縁部１３ａが、ロック爪３１と係合する上段部を構成する。
【００１３】
ロック爪３１は、弾性変形可能な弾性腕３０を含んで構成する。ロック爪３１とロック解除体７１との隣接部分に、ロック解除体７１の解除操作力をロック爪３１に伝える操作面７２と受動面７３とを設ける。操作面７２および受動面７３は、ロック解除体７１の解除操作方向と交差する傾斜面で形成する。ロック解除体７１の解除操作力を、操作面７２および受動面７３でロック爪３１の係合を解除する向きの操作力に変換して、ロック爪３１と上段部との係合を解除する。
【００１４】
パッド体５１は、インク含浸マット５１ａと、同マット５１ａを収容するマット収容体５１ｂとを備える。マット収容体５１ｂをパッドホルダー５２に対して、両者の間に設けたパッド装着構造を介して着脱可能に装着する。
【００１５】
パッド装着構造は、パッドホルダー５２に形成された雌ねじ体５９と、マット収容体５１ｂに形成された雄ねじ体５８との螺合構造で構成する。
【００１６】
パッドホルダー５２に、マット収容体５１ｂを抱持する一対の抱持腕５５・５５を設け、両抱持腕５５・５５の内面に雌ねじ体５９を形成する。雄ねじ体５８を雌ねじ体５９にねじ込み装着した状態において、抱持腕５５を拡開状に弾性変形して、抱持腕５５の弾性変形力で雄ねじ体５８の緩みを規制する。
【発明の効果】
【００１７】
本発明は、印判の押下げ操作に連動してインクパッド２２を退避揺動させて押印を行う印判スタンドにおいて、印判ホルダー２１の印判保持部２３に、印判の外面の下段部を受止める位置決め座２８と、位置決め座２８で受止められた印判の外面の上段部と係合して印判をロック保持するロック爪３１とを設けた。これによれば、印判を印判保持部２３に差し込むだけで、印判を位置決めした状態でロック爪３１でロック保持して、印判をぐらつきのない状態で起立保持できる。従って、押印操作時に印判がぐらつくのを防止して、押印された印字に濃淡やかすれが生じて不鮮明になることがなく、印字品質を向上できる。また、ロック爪３１をロック解除操作するためのロック解除体７１を、ロック爪３１と隣接するスタンド本体２０の壁面に設けるので、ロック解除体７１を操作するだけで、ロック爪３１をロック解除して印判を印判ホルダー２１から簡便に取り外すことができる。従って、印判スタンドに対する印判の着脱を容易に行って、日付変更を速やかに行なえる。
【００１８】
復帰ばね４３を収容する一対のボス４４・４４とガイド溝４５を、スタンド本体２０の対向する内周面に設け、ボス４４・４４に収容した復帰ばね４３の端部を、ガイド溝４５に沿ってスライドするスライドピース３３で受止めるようにした。また、スタンド本体２０に形成した規制体８５で印判ホルダー２１を受止めて、印判ホルダー２１をスタンド本体２０に対して分離不能に組付けた。これによれば、各ボス４４・４４に対して、上方から復帰ばね４３、次いで印判ホルダー２１のスライドピース３３を挿入したのち、印判ホルダー２１を規制体８５で受止めるだけで、印判ホルダー２１および復帰ばね４３をスタンド本体２０に昇降スライド自在に組付けることができる。従って、印判スタンドの組付けを簡略化でき、印判スタンドの製造コストを低減することができる。
【００１９】
日付調整ダイヤル６と対向するスタンド本体２０の周囲壁にパッド窓６１を開口し、同窓６１の上隅部に設けた軸受壁６２に対して、パッドホルダー５２の揺動軸５７をスタンド本体２０の外面側から係合して、インクパッド２２をスタンド本体２０に組み付けるようにした。これによれば、軸受壁６２に揺動軸５７を差し込み係合するだけでインクパッド２２をスタンド本体２０に組み付けることができるので、印判スタンドへのインクパッド２２の組付けの手間を省いて簡略化することができ、印判スタンドの製造コストをさらに低減できる。また、軸受壁６２と揺動軸５７との係合状態を解除することにより、インクパッド２２をスタンド本体２０から取り外すことができるので、インクパッド２２にインクを補充する際にスタンド本体２０をインクで汚損することなく、インクの補充作業を行うことができる。
【００２０】
カム構造を、パッドホルダー５２に設けた受動ピン６４と、印判ホルダー２１に設けた第１カム６５、保持カム６６、第２カム６７などで構成し、第１カム６５で受動ピン６４を押下げ操作して、インクパッド２２を補給姿勢から退避姿勢に揺動変位したのち、受動ピン６４を保持カム６６で支持して、インクパッド２２を退避姿勢に保持し続けるようにした。また、自重で補給前段姿勢に復帰したインクパッド２２の受動ピン６４を、第２カム６７で揺動軸５７の回りに押上げ操作して、インクパッド２２を補給姿勢に保持できるようにした。これによれば、インクパッド２２を補給姿勢から退避姿勢に揺動させるためのカム構造を、パッドホルダー５２および印判ホルダー２１に集約して一体化できるので、カム構造を構成する部材を別途設ける必要がない。従って、印判スタンドの部品点数を減らして、印判スタンドの製造コストをさらに低減することができる。また、カム構造をパッドホルダー５２および印判ホルダー２１と一体的に設けることにより、印判スタンド全体をコンパクトにすることができる。
【００２１】
印面枠１０と、印面枠１０の下面のゴム印字体１１などで印字部３を構成する印判においては、印面枠１０の下面の隅部１２ａを位置決め座２８で受止め、印面枠１０の上縁部１３ａにロック爪３１を係合させて、印判を印判ホルダー２１に固定保持できる。この場合の隅部１２ａは下段部として機能し、印面枠１０の上縁部１３ａは上段部として機能する。このように、捺印面に最も近い位置に位置する印面枠１０の上下端を、位置決め座２８とロック爪３１とで係合保持すると、印判を印判ホルダー２１に対して適正に位置決めした状態で支持し、しかもぐらつくことなく確実に保持することができる。従って、押印操作時に印判がぐらつくのを防止して、押印された印字に濃淡やかすれが生じて不鮮明になることがなく、全体として印字品質をさらに向上できる。また、印面枠１０をロック爪３１で係合保持するので、例えば印面枠１０より上側に設けた係合構造をロック爪３１で係合保持する場合に比べて、印判ホルダー２１の上下寸法を小さくして、印判スタンドをコンパクト化できる。さらに、既存の日付印などの印判を印判ホルダー２１に装着することで、印判の押下げ操作に連動して印字部３の捺印面にインクを自動的に補給することができるので、自立してインクで周囲を汚すことのない、自動印タイプの印判を容易に構成することができる。
【００２２】
ロック爪３１を弾性腕３０を含んで構成し、ロック解除体７１の解除操作力を、傾斜面からなる操作面７２および受動面７３で、ロック爪３１の係合を解除する向きの操作力に変換して、ロック爪３１と上縁部１３ａとの係合を解除するようにした。このように、弾性腕３０を備えたロック爪３１によれば、弾性腕３０を弾性変形させながら印字部３を印判ホルダー２１に差し込み装着するだけで、ロック爪３１を上段部に係合させることができる。また、必要時にはロック解除体７１を操作するだけで、ロック爪３１と上段部との係合状態を解除して、印判を印判ホルダー２１から簡便に取り外すことができる。従って、印判スタンドに対する印判の着脱をさらに的確に行って、印判の日付変更を速やかに行なえる。
【００２３】
インク含浸マット５１ａを収容するマット収容体５１ｂをパッドホルダー５２に対して、両者の間に設けたパッド装着構造を介して着脱可能に装着すると、パッドホルダー５２からマット収容体５１ｂを分離した状態でマット５１ａにインクを補充し、あるいはマット５１ａを交換することができる。従って、スタンド本体２０やパッドホルダー５２をインクで汚損することなく、インク補充あるいはパッド交換の作業を簡便に行うことができる。
【００２４】
パッドホルダー５２に形成した雌ねじ体５９と、マット収容体５１ｂに形成した雄ねじ体５８との螺合構造でパッド装着構造を構成すると、マット収容体５１ｂを締緩操作するだけでパッドホルダー５２に対してマット収容体５１ｂを装着あるいは分離することができる。また、ねじ込み量により、パッドホルダー５２とマット収容体５１ｂとの相対位置を変更できるので、補給姿勢において、印字部３とインク含浸マット５１ａとの密着度合を最適にして、ゴム印字体１１にインクを均一にしかも適正に供給することができる。
【００２５】
雄ねじ体５８を雌ねじ体５９にねじ込み装着した状態において、パッドホルダー５２に設けた抱持腕５５が拡開状に弾性変形して、抱持腕５５の弾性変形力で雄ねじ体５８の緩みを規制できるようにした。このように、雄ねじ体５８の緩みを抱持腕５５の弾性力で規制すると、インクパッド２２が揺動操作されるときの振動や押印時の衝撃等で、雄ねじ体５８と雌ねじ体５９との螺合構造が緩んでマット収容体５１ｂが不用意に回転するのを防止できる。マット収容体５１ｂが抱持腕５５から脱落することもない。また、別途雄ねじ体５８の緩みを規制する構造を設ける必要がないので、インクパッド２２の構造を簡素化でき、従って、印判スタンド全体をコンパクトにすることができる。
【図面の簡単な説明】
【００２６】
【図１】本発明に係る印判スタンドの押印位置における縦断側面図である。
【図２】本発明に係る印判スタンドから日付印を分離した状態を示す正面図である。
【図３】本発明に係る印判スタンドに日付印を装着した状態を示す側面図である。
【図４】本発明に係る印判スタンドの分解斜視図である。
【図５】本発明に係る印判スタンドの待機位置における縦断側面図である。
【図６】本発明に係る印判スタンドの待機位置における縦断正面図である。
【図７】図５におけるＡ−Ａ線断面図である。
【図８】図５におけるＢ−Ｂ線断面図である。
【図９】図５におけるＣ−Ｃ線断面図である。
【図１０】ロック爪の係合解除状態を示す横断平面図である。
【図１１】インクパッドが補給姿勢から退避姿勢へと揺動操作される状態を示す説明図である。
【図１２】インクパッドが退避姿勢から補給姿勢へと揺動操作される状態を示す説明図である。
【図１３】本発明に係る印判スタンドの別の実施例を示す横断平面図である。
【発明を実施するための形態】
【００２７】
（実施例）  図１から図１２に、本発明に係る印判スタンドを、領収印や受付印に代表される日付印（印判）の印判スタンドに適用した実施例を示す。なお、本発明における前後、左右、上下とは、図２および図３に示す交差矢印と、各矢印の近傍に表記した前後、左右、上下の表示に従う。図２において、日付印は、外フレーム２と、外フレーム２の下部に配置される印字部３と、外フレーム２の上部に設けられるグリップ４とを備えている。
【００２８】
図２および図３に示すように、外フレーム２の内部には、印字ユニット５が配置されており、印字ユニット５は、日付調整ダイヤル６と、同ダイヤル６とブリッジ（不図示）に巻掛けられる５本の印字ベルト７などで構成される。印字ベルト７は、日付印に多用されている周知のゴムベルトからなり、その外面には年号と、月、日を印字するための印字ブロックが一定間隔おきに設けられている。日付調整ダイヤル６は外フレーム２の前後面において、その周縁が外フレーム２の外面に露出しており、日付調整ダイヤル６の露出部分を回転操作することにより、印字ベルト７を回転させて年号と、月、日を自在に変更できる。
【００２９】
図２および図４に示すように印字部３は、外フレーム２で上下スライド可能に支持される印面枠１０と、印面枠１０の下面に固定されるゴム印字体１１とを含んで構成される。具体的には、印面枠１０は金属板材に板金加工を施して形成され、底枠１２と両側枠１３・１３とで正面視において横臥コ字状に形成されている。底枠１２の底面形状は四角形状に形成されており、各枠１２・１３はそれぞれ断面コ字状に形成されている。ゴム印字体１１は、印面台１５を介して印面枠１０に一体に固定されており、ゴム印字体１１および印面台１５の平面形状は円形状に形成されている。これにより、底枠１２の下面４隅の隅部（下段部）１２ａは、印面台１５で覆われておらず露出している（図４参照）。ゴム印字体１１の下面は印面１６を構成しており、印面１６は、固定印字面と各印字ベルト７の印字ブロックとからなる。印字部３は、外フレーム２を間にして両側枠１３・１３を貫通するように挿通されたビス１７と、ビス１７にねじ込まれるナット１８により、外フレーム２に対して上下スライドできるように連結されており、ビス１７と外フレーム２に設けた長穴（不図示）により、印字部３の引き出し限界が規定されている。ゴム印字体１１および印字ベルト７は、非浸透性のゴム素材で形成されている。年号等の変更は、図２に想像線で示すように、印字部３を外フレーム２から下方に引き出した状態で行うことができる。
【００３０】
印判スタンドは、スタンド本体２０と、日付印を起立保持する印判ホルダー２１と、印判ホルダー２１の下面側に配置されて、日付印の印字部３にインクを供給するインクパッド２２とを備える。印判ホルダー２１は、その内部に印字部３を収容する印判保持部２３を備えており、図４および図７に示すように、前後の枠壁２４・２５と左右の枠壁２６・２７とで上下が開口する枠体で構成されている。印判保持部２３に印字部３を上開口の側から差し込み収容した状態において、前後左右の各枠壁２４・２５・２６・２７と印字枠１０とは、僅かな隙間を介して隣接している。後枠壁２５は、他の枠壁２４・２６・２７よりも上方に延出するように形成されており、印判ホルダー２１が上方の待機位置に位置している状態では、後枠壁２５の上端部分が、後述するスタンドカバー４６の昇降窓４７から突出している（図２および図５参照）。印判ホルダー２１の内面下部および内面上部には、印字枠１０の隅部１２ａを受止める位置決め座２８と、印字枠１０の上縁部１３ａと係合するロック爪３１とが設けられている。
【００３１】
具体的には、印判ホルダー２１の内面下端の４隅には、図４および図７に示すように、それぞれ位置決め座２８が形成してある。印字部３を印判保持部２３に収容した状態において、印面枠１０の下段部、すなわち底枠１２の４つの隅部１２ａが位置決め座２８で受止められる。印判ホルダー２１の左右の枠壁２６・２７の前側左右端には、それぞれロック爪３１が設けられている。ロック爪３１は弾性腕３０を一体に備えており、弾性腕３０を弾性変形可能とするために、前枠壁２４の左右端寄りおよび左右の枠壁２６・２７の前端寄りにスリットが形成されている。各ロック爪３１は、各弾性腕３０の内面よりも対向する弾性腕３０に向かって突出するように形成されている。
【００３２】
図５に示すように、ロック爪３１は、印字部３の底枠１２の隅部１２ａが位置決め座２８で受止められた状態で、印面枠１０の上端の上段部、すなわち両側枠１３・１３の上縁部１３ａと係合する。印字部３を印判保持部２３に対して上方から差し込むと、両側枠１３とロック爪３１が接触して、両弾性腕３０を外側に拡開変形しながら印字部３が印判保持部２３に侵入し、隅部１２ａが位置決め座２８で受止められる。同時に、弾性腕３０の弾性復元力で両ロック爪３１が両側枠１３・１３の上縁部１３ａと係合する。これにより、印字部３は位置決め座２８とロック爪３１とで挟持されて上下に位置決めされる。従って、弾性腕３０を弾性変形させながら印字部３を印判ホルダー２１に差し込み装着するだけで、日付印をぐらつくことなく起立保持した状態で印判スタンドに装着できる。
【００３３】
印判ホルダー２１の対向周面、詳しくは左右枠壁２６・２７の外面上部には、後述する復帰ばね４３の上端部を受止め、かつガイド溝４５でスライド案内されるスライドピース３３が設けられる。図４、図６および図７に示すように、スライドピース３３は、上下に伸びるガイドリブ３４とガイドリブ３４の上端に形成されるガイド軸３５とで構成されている。図７において、符号３６は、左右の枠壁２６・２７に形成された逃げ凹部であり、先に述べた日付印のビス１７の頭部およびナット１８が、左右の枠壁２６・２７と干渉するのを避けるために設けられている。
【００３４】
図５、図６および図７に示すように、スタンド本体２０は、前後壁３８・３９と左右壁４０・４１とで上下が開口する角筒状に形成されている。スタンド本体２０の対向する内周面、詳しくはスタンド本体２０の左右壁４０・４１には、圧縮コイル形の復帰ばね４３を収容する一対のボス４４・４４と、各ボス４４の上下方向（長手方向）に沿って形成されて、印判ホルダー２１を昇降スライド自在に案内支持するガイド溝４５とが、上向きに開口する状態で設けられている。ガイド溝４５は、スライドピース３３を構成するガイドリブ３４およびガイド軸３５の平面形状に対応する鍵穴状に形成されている。スタンド本体２０には、昇降スライドする印判ホルダー２１の上方のスライド限界を規制する規制突起（規制体）８５が形成されている。詳しくは、規制突起８５は、後述するロック解除体７１の上端の左右内面に内向きに突出形成されている。印判ホルダー２１をスタンド本体２０に昇降スライド自在に組付けた状態において、印判ホルダー２１は、先の規制体８５で受止められて、上方のスライド限界が規定されている。詳しくは、後述するように、ロック爪３１に形成した受動面７３に連続して受座８６を形成し、この受座８６を規制突起８５で受止めることにより、昇降スライド時の上方のスライド限界を規定している。
【００３５】
スタンド本体２０の上開口には、スタンドカバー４６が分離不能に装着される。図１および図６に示すように、スタンド本体２０の上端周縁には、スタンドカバー４６が装着される段部７７が形成されており、スタンドカバー４６はこの段部７７に被さる状態で装着される。図４に示すように、スタンドカバー４６は、その上面に日付印および印判ホルダー２１の昇降動作を許す昇降窓４７が開口されており、その下面の左右にスタンド本体２０の固定穴４８に挿通される固定軸４９が設けられている。スタンドカバー４６は、固定軸４９と、両者２０・４６の間に設けられた爪嵌合構造により、スタンド本体２０に分離不能に装着される。図１に示すように、爪嵌合構造は、スタンドカバー４６の内面に形成された固定爪７８と、固定爪７８に対応するスタンド本体２０の段部７７に形成された凹部７９とで構成されている。爪嵌合構造は、前側左右の２ヶ所、および後側中央の１ヶ所の計３ヶ所に設けられている。スタンド本体２０の前後に爪嵌合構造を設けることにより、スタンドカバー４６がスタンド本体２０から浮き離れることなく、スタンドカバー４６をスタンド本体２０に対して強固に装着することができる。
【００３６】
印判ホルダー２１の前後方向の中央位置は、スタンド本体２０の前後方向中央よりも前側に偏寄させた状態で設けてある（図１参照）。これは後述するインクパッド２２の姿勢を切換えるカム構造を印判スタンドの背面側に配置したからである。このため、印判ホルダー２１の印判保持部２３に装着した日付印の前後方向の中央位置が目視で確認できるように、図３および図７に示すように、スタンド本体２０の左右壁４０・４１の下端に、縦長リブ状の指標８０がそれぞれ形成されている。なお、指標８０は縦長リブ状である必要はなく、例えば、左右壁４０・４１に形成した溝、あるいは塗装であってもよい。
【００３７】
ここで、スタンド本体２０、印判ホルダー２１、復帰ばね４３およびスタンドカバー４６を組付ける手順を説明する。まず、スタンド本体２０の各ボス４４に形成されたガイド溝４５に上方からそれぞれ復帰ばね４３を挿入する。次いで、各復帰ばね４３の上端に印判ホルダー２１のガイド軸３５を当てがい、復帰ばね４３を圧縮しながらガイド溝４５にスライドピース３３を挿入し、印判ホルダー２１が規制突起８５を乗り越えるように、印判ホルダー２１を下方に移動させる。印判ホルダー２１が規制突起８５を乗り越えると、印判ホルダー２１は復帰ばね４６の付勢力を受けて上方へスライド移動する。この状態において、印判ホルダー２１の受座８６を、先の規制突起８５で受止めることにより、印判ホルダー２１の上方移動を規制することができ、さらに、印判ホルダー２１をスタンド本体２０に対して分離不能に組付けることができる。最後に、スタンド本体２０の上方から、固定軸４９を固定穴４８に挿入しながら、スタンドカバー４６をスタンド本体２０の段部７７に被せ、固定爪７８と凹部７９とを嵌合させることにより、これらスタンド本体２０、印判ホルダー２１、復帰ばね４３およびスタンドカバー４６を一体に組付けることができる。
【００３８】
上記のように構成された、スタンド本体２０、印判ホルダー２１、復帰ばね４３およびスタンドカバー４６によれば、各ボス４４に上方から復帰ばね４３、次いで印判ホルダー２１のスライドピース３３を挿入したのち、印判ホルダー２１を規制突起８５で受止めるだけで、印判ホルダー２１および復帰ばね４３をスタンド本体２０に昇降スライド自在に組付けることができる。従って、印判スタンドの組付けを簡略化でき、印判スタンドの製造コストを低減することができる。加えて、スタンドカバー４６でスタンド本体２０の上開口を塞ぐので、スタンド本体２０の内部構造を覆い隠して、印判スタンドの外観をすっきりとした印象にすることができる。また、印判スタンドが落下衝撃を受けて、規制突起８５による上方への移動規制が解除された場合でも、スタンドカバー４６でスライドピース３３を受止めて、スタンド本体２０と印判ホルダー２１とが分離するのを防止できる。
【００３９】
印判ホルダー２１は、復帰ばね４３で常に上方の待機位置（図３に示す状態）へ向かって押し上げ付勢されており、復帰ばね４３の付勢力に抗して日付印を押下げ操作することにより、印判ホルダー２１を下方の押印位置（図１に示す状態）まで下降操作できる。また、下降操作された印判ホルダー２１は、押下げ操作力を解除することにより、復帰ばね４３の付勢力で待機位置に自動的に復帰する。日付印を印判ホルダー２１に装着した待機位置（図３に示す位置）においては、受座８６は規制突起８５で受止められておらず、両者８５・８６は離れた状態にある。これは、印判ホルダー２１に装着した日付印が、インクパッド２２を僅かに退避姿勢側へ揺動させ、カム機構で印判ホルダー２１が下降操作されるためである。
【００４０】
図４および図５に示すように、インクパッド２２は、パッド体５１と、パッド体５１を支持するパッドホルダー５２とを含んで構成されている。具体的には、パッド体５１は、インクが含浸させてあるインク含浸マット５１ａと、同マット５１ａを収容するマット収容体５１ｂとを備えている。マット収容体５１ｂはカップ状に形成されており、カップ内にインク含浸マット５１ａが収容されている。マット収容体５１ｂはパッド装着構造でパッドホルダー５２に着脱自在に装着されている。パッドホルダー５２は、断面Ｌ字状のブロックからなるホルダー基部５４と、ホルダー基部５４の前側に形成される左右一対の抱持腕５５・５５と、一対の抱持腕５５・５５の左右縁から後方に向かって伸びる一対の支持腕５６・５６とが一体に形成されている。支持腕５６の後方上端には、スタンド本体２０で支持される揺動軸５７が外側に向かって突出形成されている。
【００４１】
パッド装着構造は、マット収容体５１ｂの側に形成される雄ねじ体５８と、抱持腕５５の側に形成される雌ねじ体５９とで構成する。雄ねじ体５８は、マット収容体５１ｂと一体に形成された丸筒軸５１ｃと、該丸筒軸５１ｃの外周面に形成されたねじ山とで構成されており、雌ねじ体５９は、Ｃ字状の一対の抱持腕５５の内周面に形成されたねじ穴で構成されている。マット収容体５１ｂは、雄ねじ体５８を雌ねじ体５９にねじ込むことによりパッドホルダー５２に装着でき、雄ねじ体５８を緩め操作することによりパッドホルダー５２から分離できる。雄ねじ体５８の下側には、螺合構造の締緩操作を容易にするための操作つまみ６０が、雄ねじ体５８と一体に形成されている。このように、マット収容体５１ｂをパッドホルダー５２に対して、パッド装着構造を介して着脱可能に装着すると、パッドホルダー５２からマット収容体５１ｂを分離した状態でマット５１ａにインクを補充し、あるいはマット５１ａを交換することができるので、印判スタンドをインクで汚損することなく、インク補充あるいはパッド交換の作業を簡便に行うことができる。加えて、雄ねじ体５８と雌ねじ体５９との螺合構造でパッド装着構造を構成すると、マット収容体５１ｂを締緩操作するだけでパッドホルダー５２に対してマット収容体５１ｂを装着あるいは分離することができる。また、ねじ込み量により、パッドホルダー５２とマット収容体５１ｂとの相対位置を変更できるので、補給姿勢において、印字部３とインク含浸マット５１ａとの密着度合を最適にして、印面１６にインクを均一にしかも適正に供給することができる。上記のマット収容体５１ｂの着脱作業は、後述するカム機構で退避姿勢に変位させた状態で行う。
【００４２】
雄ねじ体５８を雌ねじ体５９にねじ込むだけでは、振動や押印時の衝撃等により螺合構造が緩みパッドホルダー５２とマット収容体５１ｂとの相対位置が変化したり、両者５８・５９の螺合状態が解除されてパッドホルダー５２からマット収容体５１ｂが脱落するおそれがある。そこで、本実施例では螺合構造の緩みを阻止するために、一対の抱持腕５５・５５の弾性復元力を利用して、雄ねじ体５８の緩みを規制している。具体的には、雌ねじ体５９を構成する一対の抱持腕５５・５５の内周面は、平面視において後半部は真円状に形成されており、前半部は抱持腕５５の遊端側の先端を後半部に近接させて、左右方向に長軸を有する楕円形状に形成されている。このように、一対の抱持腕５５の前半部の内周面を左右方向に長軸を有する楕円形状に形成すると、左右一対の抱持腕５５・５５が拡開変形する状態で雄ねじ体５８が螺合装着されることになる。これにより、一対の抱持腕５５・５５の弾性復元力で、丸筒軸５１ｃを挟持できる。従って、インクパッド２２が揺動操作されるときの振動や押印時の衝撃等で、雄ねじ体５８と雌ねじ体５９との螺合構造が緩んでマット収容体５１ｂが不用意に回転するのを防止できる。マット収容体５１ｂが抱持腕５５から脱落することもない。また、別途雄ねじ体５８の緩みを規制する構造を設ける必要がないので、インクパッド２２の構造を簡素化でき、従って、印判スタンド全体をコンパクトにすることができる。
【００４３】
インクパッド２２は、スタンド本体２０で揺動軸５７を介して揺動可能に支持することにより、図５に示すパッド体５１のインク含浸マット５１ａが印字部３の印面１６に密着する補給姿勢と、図１に示すインクパッド２２の全体が印判ホルダー２１の昇降軌跡の外へ退避する退避姿勢との間を揺動できるようになっている。具体的には、図１、図５および図９に示すように、日付調整ダイヤル６の露出縁と対向するスタンド本体２０の周囲壁である後壁３９の下半部には、インクパッド２２の出入りを許すパッド窓６１が開口されている。パッド窓６１の左右の上隅部には、パッドホルダー５２の揺動軸５７を軸支する軸受壁６２が、スタンド本体２０の後壁３９の外面へ向かって開口する状態で横臥Ｕ字状に形成されている。インクパッド２２は、後壁３９の内面と軸受壁６２とで揺動軸５７が回動可能に軸支されることにより、パッド窓６１を介して補給姿勢と退避姿勢との間を揺動できる。インクパッド２２は、パッドホルダー５２の揺動軸５７を軸受壁６２に対して、スタンド本体２０の後壁３９の外面の側から、一対の支持腕５６を近接する向きに撓ませた状態で差し込み係合することにより、スタンド本体２０に組み付けることができる。従って、軸受壁６２に揺動軸５７を差し込み係合するだけでインクパッド２２をスタンド本体２０に組み付けることができ、印判スタンドの組付けを簡略化することができる。なお、先に説明したインク補充あるいはパッド交換の作業は、両支持腕５６・５６を指先で左右方向から挟み込んで弾性変形させて、軸受壁６２と揺動軸５７との係合状態を解除し、インクパッド２２をスタンド本体２０から取り外した状態で行うことができる。この場合でも、インクパッド２２にインクを補充する際にスタンド本体２０をインクで汚損することなく、インクの補充作業を行うことができる。
【００４４】
印判ホルダー２１とインクパッド２２との間に、印判ホルダー２１の昇降動作をインクパッド２２の揺動動作に変換して、インクパッド２２を補給姿勢と、退避姿勢とに切換えるカム構造が設けられている。図１、図５および図８に示すように、カム構造は、パッドホルダー５２に設けた受動ピン６４と、印判ホルダー２１に設けられて受動ピン６４を操作する第１カム６５と、第１カム６５に連続して上向きに延びる保持カム６６と、第１カム６５の下方に設けられる第２カム６７とで構成されている。具体的には、受動ピン６４は、揺動軸５７よりも前側上方の支持腕５６に一体に形成されている。印判ホルダー２１の後枠壁２５の下端左右には、それぞれカム突起６８が後方に突出するように設けられており、カム突起６８の上側の後枠壁２５には切欠き６９が形成されている。切欠き６９の上側面が第１カム６５として機能しており、第１カム６５に連続する後枠壁２５の外面が保持カム６６として機能している。また、カム突起６８の上面および前側に向かって上り傾斜する切欠き６９の下側面が、第２カム６７として機能する。
【００４５】
ここで、印判ホルダー２１の昇降動作をカム構造で揺動動作に変換して、インクパッド２２の姿勢を切換える際の動作を説明する。日付印を装着した印判ホルダー２１が待機位置にあるとき、インクパッド２２は、その受動ピン６４が第２カムの傾斜面で押上げられて補給姿勢になっており、この状態のパッド体５１のインク含浸マット５１ａは、印面１６に密着してインクを供給している。
【００４６】
押印操作時には、まずグリップ４を掴んで押印すべき紙面位置にスタンド本体２０を載置する。このとき、後述する前面開口７５あるいはパッド窓６１から印判スタンド下側の紙面を確認することができるので、正確に位置合わせすることができる。この状態から、グリップ４を復帰ばね４３の付勢力に抗して押下げると、印判ホルダー２１の下降に伴い、受動ピン６４が第１カム６５で押下げ操作されて、インクパッド２２は揺動軸５７を回動中心として、パッド体５１が印面１６から離れながら、退避姿勢方向（反時計回り）に揺動する。インクパッド２２の退避姿勢への変位は、受動ピン６４が第１カム６５と保持カム６６との接続部分を乗り越えるまで継続され（図１１（ａ））、インクパッド２２は、パッド窓６１を介してスタンド本体２０の外部へ食み出しながら揺動操作される。受動ピン６４が第１カム６５と保持カム６６との接続部分を乗り越えると（図１１（ｂ））、インクパッド２２は、印判ホルダー２１の昇降軌跡の外へ退避し、退避姿勢への変位は完了する。インクパッド２２が退避姿勢の状態では、インクパッド２２の重心位置は、揺動軸５７よりもスタンド本体２０の外側（右側）に位置しているので、インクパッド２２には、その自重により揺動軸５７回りに補給姿勢へ復帰する方向（時計回り）への回転モーメントが発生する。しかし、インクパッド２２の退避姿勢への変位が完了した以降は、受動ピン６４が保持カム６６で受止め支持されるので、インクパッド２２は退避姿勢を保持し続ける。グリップ４をさらに押下げ操作して押印位置まで操作することにより（図１１（ｃ））、印面１６を紙面に密着させて押印することができる。
【００４７】
押印終了後、グリップ４の押下げ操作力を解除すると、印判ホルダー２１は、復帰ばね４３の付勢力で上方へ押し上げられる。印判ホルダー２１の上昇時には、受動ピン６４が保持カム６６で支持されている状態では、インクパッド２２は退避位置に保持されている（図１２（ａ））。さらに印判ホルダー２１が上昇して保持カム６６による受動ピン６４の支持が外れると、インクパッド２２は、先に説明した自重による回転モーメントで、揺動軸５７の直下にインクパッド２２の重心位置が位置する補給前段姿勢に回転し、受動ピン６４は切欠き６９内に収容される（図１２（ｂ））。この状態から印判ホルダー２１がさらに上昇することにより、受動ピン６４は第２カム６７の傾斜面で押上げ操作されて、インクパッド２２は補給姿勢へと変位し、印面１６にインクを供給する。変位が完了すると同時に、スライドピース３３がスタンドカバー４６で受止められて印判ホルダー２１は待機位置に保持される（図１２（ｃ））。
【００４８】
インクパッド２２が退避姿勢から補給姿勢へと変位する際、通常は、インクパッド２２は自重により補給前段姿勢に回転する。しかし、例えば揺動軸５７あるいは軸受壁６２に埃等が膠着すると、揺動軸５７と軸受壁６２との接触抵抗が増加し、インクパッド２２が自重により補給前段姿勢に回転しないおそれがある。しかし、本実施例では、保持カム６６で位置保持されている受動ピン６４の下側より後方にまでカム突起６８を突出させ、その上面基端部側に第２カム６７を形成しているので、カム突起６８の上面の第２カム６７で強制的に受動ピン６４を補給姿勢方向（時計回り）に押上げ操作でき、インクパッド２２を確実に補給姿勢に揺動変位させることができる。
【００４９】
上記のように、カム構造を、パッドホルダー５２に形成した受動ピン６４と、印判ホルダー２１に形成した第１カム６５、保持カム６６、第２カム６７などで構成すると、インクパッド２２を補給姿勢から退避姿勢に揺動させるためのカム構造を、パッドホルダー５２および印判ホルダー２１に集約して一体化できるので、カム構造を構成する部材を別途設ける必要がない。従って、印判スタンドの部品点数を減らすことができ、印判スタンドの製造コストをさらに低減することができる。また、カム構造を構成する部材を一体的に設けることにより、印判スタンド全体をコンパクトにすることができる。
【００５０】
日付印の日付変更操作を行う場合には、印面１６に露出する印字ベルト７の印字ブロックを確認する必要があり、日付印を印判スタンドに装着したままの状態では、日付変更操作ができない。従って、印字部３を印判ホルダー２１の印判保持部２３から取り外して、日付印と印判スタンドとを分離する必要がある。このため、印判ホルダー２１のロック爪３１をロック解除操作するロック解除体７１が、ロック爪３１と隣接するスタンド本体２０の前壁３８に設けられている。図５、図７および図１０に示すように、ロック解除体７１は、前壁３８の上半壁と一体形成した弾性変形可能な板状体からなり、先の規制突起８５はロック解除体７１の上端の左右内面に形成されている。ロック解除体７１に形成された規制突起８５の外隅部には、ロック爪３１を変形操作する一対の操作面７２がそれぞれ形成されており、操作面７２に隣接するロック爪３１の弾性腕３０には、先に説明した受座８６と連続し、操作面７２と面接触状に当接する受動面７３が形成されている。操作面７２と受動面７３は、ロック解除体７１の解除操作力の方向に対して４５度傾く傾斜面で形成されている。これら操作面７２と受動面７３とにより、図１０に示すように、ロック解除体７１の解除操作力を、操作面７２と受動面７３を介してロック爪３１に作用させ、ロック爪３１を外側方へ押しのけるようにして弾性腕３０を弾性変形させることができる。これにより、ロック爪３１と上縁部１３ａとの係合を解除することができる。従って、印判保持部２３における位置決め保持が解除され、印字部３を印判ホルダー２１から取り外すことができ、日付印と印判スタンドとを分離することができる。図１に示すように、ロック解除体７１の上端は、スタンドカバー４６の内部に位置させてあり、これにより、ロック解除体７１が前側へ向かって弾性変形するのを規制している。ロック解除体７１の下側には、押印操作時の押印位置を確認するための前面開口７５が設けてある。
【００５１】
上記のように、操作面７２および受動面７３でロック解除体７１の操作力が作用する方向を変換した状態でロック爪３１を解除操作するので、スタンド本体２０の前壁３８に設けたロック解除体７１で、印判ホルダー２１の左右の枠壁２６・２７に設けたロック爪３１を操作して、ロック爪３１と上縁部１３ａとの係合を解除することができる。これにより、ロック爪３１とロック解除体７１とを、印判スタンドの異なる面に配置することができるので、印判スタンド全体をコンパクトにすることができる。
【００５２】
図１３は、ロック爪３１を印判ホルダー２１の前枠壁２４側に設け、ロック解除体７１をロック爪３１に隣接するスタンド本体２０の左右壁４０・４１に設けた実施例を示す。印判ホルダー２１の前枠壁２４の左右端には、それぞれロック爪３１が設けられている。ロック爪３１は弾性腕３０を一体に備えており、弾性腕３０を弾性変形可能とするために、前枠壁２４の左右端寄りおよび左右の枠壁２６・２７の前端寄りにスリットが形成されている。各ロック爪３１は、各弾性腕３０の内面よりも後枠壁２５に向かって突出するように形成されている。
【００５３】
ロック解除体７１は、左右壁４０・４１の前側上半部に、上側の先端部が弾性変形可能な板状体で形成されている。各ロック解除体７１の上端には、ロック爪３１に向かって伸びる解除腕８２が一体に形成されており、解除腕８２の先端部に操作面７２が形成されている。本実施例では、解除腕８２の先端部分が規制突起（規制体）８５として機能する。操作面７２に隣接するロック爪３１の弾性腕３０には、操作面７２と面接触状に当接する受動面７３が形成されている。操作面７２と受動面７３は、ロック解除体７１の解除操作力の方向に対して４５度傾く傾斜面で形成されている。これら操作面７２と受動面７３とにより、ロック解除体７１の解除操作力を、操作面７２と受動面７３を介してロック爪３１に作用させ、ロック爪３１を前側へ押しのけるようにして弾性腕３０を弾性変形させることができる。これにより、ロック爪３１と上縁部１３ａとの係合を解除することができる。他は図１から図１２で説明した印判スタンドの構造と同じであるので、同じ部材に同じ符号を付してその説明を省略する。この実施例から理解できるように、ロック爪３１は、印判ホルダー２１の前枠壁２４と後枠壁２５と左右の枠壁２６・２７の任意の位置に設けることができ、ロック解除体７１はロック爪３１の配置位置に対応するスタンド本体２０の周囲壁３８〜４１に設けてあればよい。
【００５４】
上記の各実施例における印判スタンドによれば、印判スタンドに日付印を差し込むだけで日付印の全体を起立保持でき、ロック爪３１をロック解除体７１でロック解除操作するだけで、印判スタンドから日付印を取り外すことができる。従って、印判スタンドに対する日付印の着脱をワンタッチで行うことができる。また、既存の日付印に加工を施すこともなく、印判ホルダー２１に日付印を着脱できるので、既存の日付印を利用しながら、日付印の押下げ操作に連動して印字部３の印面１６にインクを自動的に補給することができる「自動印タイプ」の日付印にすることができる。
【００５５】
加えて、印面１６にインクを補給するためのスタンプ台を廃することができ、また、日付印を印判スタンドに起立保持させた状態で、机上などに保管することができる。さらに、スタンプ台を廃することにより、スタンプ台に無造作に置かれた日付印が転倒するなどして、スタンプ台周囲の机面がインクで汚損されるのを解消できる。
【００５６】
以上のように、印判ホルダー２１の印判保持部２３に、日付印の外面の下段部を受止める位置決め座２８と、位置決め座２８で受止められた日付印の外面の上段部と係合して印判をロック保持するロック爪３１とを設けた。これによれば、日付印を印判保持部２３に差し込むだけで、日付印を位置決めした状態でロック爪３１でロック保持して、日付印をぐらつきのない状態で起立保持できる。従って、押印操作時に日付印がぐらつくのを防止して、押印された印字に濃淡やかすれが生じて不鮮明になることがなく、印字品質を向上できる。また、ロック爪３１をロック解除操作するためのロック解除体７１を、ロック爪３１と隣接するスタンド本体２０の壁面に設けるので、ロック解除体７１を操作するだけで、ロック爪３１をロック解除して日付印を印判ホルダー２１から簡便に取り外すことができる。従って、印判スタンドに対する日付印の着脱を容易に行って、日付変更を速やかに行なえる。
【００５７】
また、印面枠１０と、印面枠１０の下面のゴム印字体１１などで印字部３を構成する日付印において、印面枠１０の下面の隅部１２ａを位置決め座２８で受止め、印面枠１０の上縁部１３ａにロック爪３１を係合させて、日付印を印判ホルダー２１に固定保持できる。このように、印面（捺印面）１６に最も近い位置に位置する印面枠１０の上下端を、位置決め座２８とロック爪３１とで係合保持すると、日付印を印判ホルダー２１に対して適正に位置決めした状態で支持し、しかもぐらつくことなく確実に保持することができる。従って、押印操作時に日付印がぐらつくのを防止して、押印された印字に濃淡やかすれが生じて不鮮明になることがなく、全体として印字品質をさらに向上できる。また、印面枠１０をロック爪３１で係合保持するので、例えば印面枠１０より上側に設けた係合構造をロック爪３１で係合保持する場合に比べて、印判ホルダー２１の上下寸法を小さくして、印判スタンドをコンパクト化できる。さらに、既存の日付印を印判ホルダー２１に装着することで、日付印の押下げ操作に連動して印字部３の印面１６にインクを自動的に補給することができるので、自立してインクで周囲を汚すことのない、自動印タイプの日付印を容易に構成することができる。
【００５８】
上記の実施例では、印判は日付印で構成したが、番号印やロットナンバー印であってもよく、印面を構成するゴムは非浸透性に限らず、浸透性のゴムを用いてもよい。カップ固定構造は、螺合構造のほかに、一方にバヨネット壁を形成し、他方に突起を形成したバヨネット構造であってもよい。下段部は上段部より下方に設けてあればよく、位置決め座２８は下段部の位置に対応する位置に設けてあればよい。規制体８５は、ロック解除体７１に形成する必要はなく、スタンド本体２０の周囲壁３８〜４１の内面に設けてあればよい。
【符号の説明】
【００５９】
２  外フレーム
３  印字部
６  日付調整ダイヤル
１０  印面枠
１１  ゴム印字体
２０  スタンド本体
２１  印判ホルダー
２２  インクパッド
２３  印判保持部
２８  位置決め座
３１  ロック爪
３３  スライドピース
４３  復帰ばね
４４  ボス
４５  ガイド溝
４７  昇降窓
５１  パッド体
５１ａ  インク含浸マット
５１ｂ  マット収容体
５２  パッドホルダー
５７  揺動軸
６１  パッド窓
６４  受動ピン
６５  第１カム
６６  保持カム
６７  第２カム
８５  規制体（規制突起）
【図１】
0005984778.tif 000002
【図２】
0005984778.tif 000003
【図３】
0005984778.tif 000004
【図４】
0005984778.tif 000005
【図５】
0005984778.tif 000006
【図６】
0005984778.tif 000007
【図７】
0005984778.tif 000008
【図８】
0005984778.tif 000009
【図９】
0005984778.tif 000010
【図１０】
0005984778.tif 000011
【図１１】
0005984778.tif 000012
【図１２】
0005984778.tif 000013
【図１３】
0005984778.tif 000014